(57)【要約】      （修正有）【課題】週目標や本日の作業計画内容や勉強計画が一目でわかり、作業計画や勉強の目標への意識が向上し効率化が図れる計画板を提供する。【解決手段】目標期日逆算日数めくりカードである縦に長い長方形の数字カード３，５の上部に丸い穴２をあけ、長方形の板１１の上部の固定したリング１，４に数字カードを通して計画板とする。カードが重ならず１枚ごとめくりやすいように奇数字のカードの数字の下部の右部分より左下部に斜めにカットし、偶数字のカードの数字の下部の左部分より右下部に斜めにカットする。また、今日の計画の用紙をこの計画板の上部に磁石６で留める。目標までの逆算日数が表示できるので目標達成への意識が高まる。【選択図】図１
0003190169.tif 000002
【実用新案登録請求の範囲】
【請求項１】
今日の仕事計画や勉強計画等や今回目標や週目標の用紙を計画板に磁石板や仮止め接着剤で貼り付けることのできる計画板。
【請求項２】
目標期日の逆算日数の日めくり日数カードをつけた計画板。
【請求項３】
今日の仕事計画や勉強計画等の用紙を計画板に目標等の逆算日数の日めくりのある計画板を立てるスタンドを付けた計画板。
【請求項４】
目標期日の逆算日数の日めくり日数カードを奇数字の全部を数字の下部の右より左下部に斜めにカットし、偶数字の全部を数字の下部の左より右下部に斜めにカットして、日めくり日数カードの下部が重ならない部分のある日めくり日数カード。
【請求項５】
目標期日逆算日数めくり目標計画板の裏面に今日の計画用紙と今回の目標用紙や今週の計画用紙を入れる箱を付けた計画板。
【考案の詳細な説明】
【技術分野】
【０００１】
本考案は、目標を達成するために今日の作業計画や勉強計画と目標期日への逆算日数を表示する日めくりのある目標計画板に関するものである。
【背景技術】
【０００２】
従来は、今日の作業計画や勉強計画等を紙や黒板に書いている。これに、目標の期日までの逆算日数の日めくりは、別のところに表示したり、月暦に書き込んでいるのである。
【先行技術文献】
【特許文献】
【０００３】
【考案の概要】
【考案が解決しようとする課題】
【０００４】
従来は、今日の作業計画や勉強計画等を紙に書いて計画の完了したものを消している。これに、目標の期日までの逆算日数は、別のところに表示しているのである。これには、次のような欠点がある。日々の作業計画や勉強計画等と目標の期日まで何日あるかという意識が一体化しにくいのである。また、今週の計画や目標等もはっきりしにくいのである。
本考案は、以上の欠点を解決するためになされたものである。
【課題を解決するための手段】
【０００５】
上記の問題点を解決するために，本考案は、一枚の計画板を吊り下げたり、スタンドで立てるようにする。この計画板の右側の部分に今日の作業計画や勉強計画等を紙に書いたものを磁石板や仮止め接着剤で貼り付ける。また、左側の部分の上部に目標の期日までの逆算日数の日めくりをつける。この目標の期日までの逆算日数の日めくりの下部に磁石板や仮止め接着剤で目標の期日や対策等の用紙を貼り付けるようにし、その下部に週目標等の用紙を磁石板や仮止め接着剤で貼り付けるようにする。
【考案の効果】
【０００６】
本考案は、一枚の計画板をスタンドで卓上に立てるようにするので目標期日まで何日あるか、週目標や本日の作業計画内容や勉強計画が一目でわかる。また、目標期日まで逆算日数のカードを毎日めくるので目標期日まで何日あるかを強く意識する。本日の作業計画内容や勉強計画を時系列的に書くので作業計画内容や勉強計画が明確化できる。作業計画や勉強計画の済んだものをマーカー等で消していくと残りの作業計画内容や勉強計画内容が明確になるので作業計画等の段取りを意識する。このようなことで作業計画や勉強の目標への意識が向上し効率化が図れる。
【図面の簡単な説明】
【０００７】
【図１】本考案の正面図である。
【図２】本考案の用紙押え磁石板の正面図である。
【図３】本考案の用紙押え磁石板の側面図である。
【図４】本考案の側面図である。
【図５】本考案の裏面の正面図である。
【考案を実施するための形態】
【０００８】
本考案の目標期日逆算日数めくり目標計画板は、平面の計画板の右側の部分の上部に今日の計画用紙押え磁石板の吸着板を接着し、今日の計画用紙を今日の計画用紙押え磁石板で押えるようにする。左上部の目標期日逆算日数めくりカードの下部に今回の目標用紙押え磁石板の吸着板を接着し、今回の目標用紙を今回の目標用紙押え磁石板で押えるようにする。今回の目標用紙の下部に今週の計画用紙押え磁石板の吸着板を接着し、今週の計画用紙を今週の計画用紙押え磁石板で押える。
【０００９】
今日の計画用紙と今回の目標用紙や今週の計画用紙を押える磁石板は、用紙が押えやすいように長方形の磁石板で押えるように吸着しやすい長方形の金属板やマグネットシートを接着する。また、今日の計画用紙と今回の目標用紙や今週の計画用紙を押える磁石板は、取り外しがしやすいように磁石板の中央につまみを接着する。
【００１０】
目標期日逆算日数めくりカードを目標期日逆算日数めくり目標計画板の左上部に１００桁日数のカードや１０桁日数のカードと１桁日数のカードに穴をあけ、カードリングに通して、カードリングを固定する。期日逆算日数めくりカードを１枚ごとめくりやすいように奇数字の全部のカードを数字の下部の右より左下部に斜めにカットする。また、偶数字の全部のカードを数字の下部の左より右下部に斜めにカットする。このようにすると重ならない部分ができて日数カードがめくりやすくなる。
【００１１】
目標期日逆算日数めくり目標計画板を見やすいように立てて使えるように目標期日逆算日数めくり目標計画板の裏側に立てられるように目標期日逆算日数めくり目標計画板の支え板や支え棒をつけるようにする。また、目標期日逆算日数めくり目標計画板を吊り下げるように紐やクサリをつける。
【００１２】
目標期日逆算日数めくり目標計画板に使用する今日の計画用紙と今回の目標用紙や今週の計画用紙を入れるために目標期日逆算日数めくり目標計画板の裏面に今日の計画用紙と今回の目標用紙や今週の計画用紙を入れる箱をつける。
【実施例】
【００１３】
本考案の目標期日逆算日数めくり目標計画板に今日の計画を用紙に時系列で書いて磁石板で押える。計画の項目が終わったら線を引いて消していく。また、今回の目標期日や今週の計画を用紙に書いて用紙押え磁石板で押える。
【００１４】
目標期日逆算日数めくり目標計画板の目標期日逆算日数めくりカードを今回の目標期日の逆算日数に合せるために１０桁日数のカードをめくり、１桁日数のカードをめくり期日合わせをする。
【産業上の利用可能性】
【００１５】
今日の仕事始めや勉強始めに、その日の作業計画や勉強計画等を紙に書いて計画を立てると内容が精選されて意識化される。また、この作業計画や勉強計画を時系列的に書いて、作業計画が終了したらマーカーや棒線で消していくと残りの作業計画が明確化され効率的に作業計画や勉強ができる。次に、今回の目標期日までの逆算日数が表示できるので目標達成への意識化ができ目標への決意が強くなる。今回の目標までの期日表示や週間目標や今日の計画が立てられ計画的に作業や勉強ができるので目標達成の可能性が高まる。
【符号の説明】
【００１６】
１  １０桁日数のカードリング  
２  １０桁日数のカードリング穴
３  １０桁日数のカード
４  １桁日数のカードリング
５  １桁日数のカード    
６  今日の計画用紙押え磁石板
７  今回の目標用紙押え磁石板
８  今週の計画用紙押え磁石板
９  用紙押え磁石板
１０  用紙押え磁石板つまみ
１１  目標期日逆算日数めくり目標計画板
１２  目標期日逆算日数めくり目標計画板支え棒  
１３  今日の計画用紙押え磁石板の吸着板
１４  今回の目標用紙押え磁石板の吸着板
１５  今週の計画用紙押え磁石板の吸着板
１６  用紙押え磁石板の吸着板の吸着板
１７  目標期日逆算日数めくり目標計画板支え棒穴
１８  用紙入れ上板
１９  用紙入れ下側板  
２０  用紙入れ右側板
２１  用紙入れ中仕切り板
２２  用紙入れ左側板  
２３  今日の計画用紙入れ
２４  今回の目標用紙今週の目標用紙入れ
【図１】
0003190169.tif 000003
【図２】
0003190169.tif 000004
【図３】
0003190169.tif 000005
【図４】
0003190169.tif 000006
【図５】
0003190169.tif 000007
【手続補正書】
【提出日】平成25年9月6日(2013.9.6)
【手続補正１】
【補正対象書類名】実用新案登録請求の範囲
【補正対象項目名】全文
【補正方法】変更
【補正の内容】
【実用新案登録請求の範囲】
【請求項１】
長方形の板の上部に縦に長い長方形の数字カードの上部に丸い穴をあけ、長方形の板の上部の固定したリングに数字カードを通した計画板。
【請求項２】
縦に長い長方形の数字カードの奇数字のカードの数字の下部の右部分より左下部に斜めにカットし、縦に長い長方形の偶数字のカードの数字の部分の左部分より右下部に斜めにカットした数字カードを付けた計画板。
【手続補正書】
【提出日】平成26年1月14日(2014.1.14)
【手続補正１】
【補正対象書類名】実用新案登録請求の範囲
【補正対象項目名】全文
【補正方法】変更
【補正の内容】
【実用新案登録請求の範囲】
【請求項１】
縦に長い長方形の数字カードの上部に丸い穴をあけ、長方形の板の上部の固定したリングに数字カードを通した計画板。
【請求項２】
前記数字カードにおいて、奇数字のカードの数字の下部の右部分より左下部に斜めにカットし、偶数字のカードの数字の下部の左部分より右下部に斜めにカットした請求項１記載の計画板。
【請求項３】
今日の計画の用紙を前記計画板の上部に磁石で留めることのできる請求項１記載の計画板。